(57)【要約】【課題】設置作業が容易で、複数個を重ねて運ぶことが可能な物掛けフックを提供する。【解決手段】本考案にかかる物掛けフック１は、設置物１０を塀２１に掛止するものであって、設置物を載置する載置部２と、堀２１に掛止される、鋭角に屈曲された形状に形成された掛止部３と、塀２１に当接し得る部分に設けられた弾性材４とを有している。【選択図】図１
0003184692.tif 000002
【実用新案登録請求の範囲】
【請求項１】
設置物を塀に掛止する物掛けフックであって、
前記設置物を載置する載置部と、前記堀に掛止される、鋭角に屈曲された形状に形成された掛止部と、前記塀に当接し得る部分に設けられた弾性材とを有することを特徴とする物掛けフック。
【請求項２】
前記鋭角に屈曲された掛止部は、前記堀に向かって末広がりに形成されていることを特徴とする請求項１記載の物掛けフック。
【請求項３】
前記掛止部は、前記塀の幅に応じて掛止幅を変更可能であることを特徴とする請求項１又は２記載の物掛けフック。
【請求項４】
前記掛止部は、前記載置部が設けられた本体と、前記本体に対して移動可能であり、前記本体と対向する部位が、前記本体から離れる方向に傾斜した支持部とで形成されていることを特徴とする請求項１乃至３の何れか１項に記載の物掛けフック。
【請求項５】
前記設置物は、前記塀が形成された設置面に設置された電気設備機器であることを特徴とする請求項１乃至４の何れか１項に記載の物掛けフック。
【考案の詳細な説明】
【技術分野】
【０００１】
本考案は、エアコンの室外機等の設置物を塀や手すり等に掛止する物掛けフックに関する。
【背景技術】
【０００２】
住宅のベランダ等には、設置物としてエアコンの室外機等の電気設備機器が設置面となる床面に設置されているが、塗装や防水作業を床面に行なう場合、これら設置物を予め別な場所に移動して作業を行なっていたため、作業効率の向上が要望されている。
特許文献１には、一端側にプランタなどを載置する載置部が形成され、他端側に塀等に掛止する掛止部を備えたプランタハンガーと称するものが記載されている。特許文献１に記載のプランタハンガーは、掛止部が、本体と略Ｌ字形状の挾持部材とが調整機構を介して一体化されていて、本体と挾持部材とで塀等を挟み込むことで、塀等にプランタハンガーを装着している。このため、塀等の幅が違うと、その幅に応じて都度、調整機構により挾持部材の位置を移動しなければならず、設置作業性が煩雑である。また、挾持部材と掛止部とが略平行に形成されているため、プランタハンガーを複数運ぶ場合に重ねて運ぶことができない。
【先行技術文献】
【特許文献】
【０００３】
【特許文献１】特開平９−１５４６８８号公報
【考案の概要】
【考案が解決しようとする課題】
【０００４】
本考案は、設置作業が容易で、複数個を重ねて運ぶことが可能な物掛けフックを提供することを、その目的とする。
【課題を解決するための手段】
【０００５】
上記目的を達成するため、本考案に係る物掛けフックは、設置物を載置する載置部と、堀に掛止される、鋭角に屈曲された形状に形成された掛止部と、塀に当接し得る部分に設けられた弾性材とを有することを特徴としている。
【考案の効果】
【０００６】
本考案によれば、鋭角に屈曲された形状に形成された掛止部を備えているので、従来のように調整機構を使わなくても様々な厚みの塀に対応可能で使用感に優れ、設置作業が容易であるとともに、複数個を重ねて運ぶことができる。
【図面の簡単な説明】
【０００７】
【図１】本考案に係る物掛けフックの構成を示す斜視図。
【図２】図１に示す物掛けフックの分解斜視図。
【図３】物掛けフックの掛止部の部分構成を示す拡大断面図。
【図４】物掛けフックの構成と効果を説明する側面視図。
【図５】本考案に係る物掛けフックを複数重ねた状態を示す斜視図。
【図６】本考案に係る物掛けフックを堀に掛止して使用した形態を示す斜視図。
【図７】本考案に係る物掛けフックを堀に掛止して使用した別な形態を示す斜視図。
【図８】本考案に係る物掛けフックの変形例を示す斜視図。
【考案を実施するための形態】
【０００８】
以下、本考案の実施形態について図面を用いて説明する。
図１に示す物掛けフック１は、後述する設置物を載置する載置部２と、後述する堀に掛止される、鋭角に屈曲された形状に形成された掛止部３と、塀２１に当接し得る部分に設けられた弾性材４とを有している。本形態において、堀２１とは、手すりや堀などの後述する設置面に立設されている物全般を指す。
【０００９】
物掛けフック１は、図２にも示すように、本体１１と、本体１１に対して移動可能で着脱可能な支持部１２とを備えている。本体１１および支持部１２は、金属製のフラットバーで形成されている。本形態では、アルミニウム製で帯状のフラットバーを折り曲げて形成している。本体１１および支持部１２の表面は、耐食性、耐摩耗性の向上のために、酸化皮膜加工が施されている。本体１１及び支持部１２の材質としては、アルミニウム以外の金属、例えば鉄でもよいが、持ち運び性を考慮すると、比重の軽いアルミニウムが好ましい。本体１１と支持部１２の幅と厚さは、載置部２に載置する設置物の重量を考慮して決めればよい。本形態では、１本の物掛けフック１の最大積載重量として２０ｋｇを想定しているため、厚み６ｍｍ、幅３０ミリのアルミニウム製で帯状のフラットバーを用いている。物掛けフック１の幅や厚みは、例示のものに限定されるものではないが、本形態では載置部２に載置する配置物として重要のある電気設備機器を想定しているので、板金製のものよりも無垢材で形成されたフラットバーを用いるのが好ましい。
【００１０】
本体１１は、一端１１ａが略９０度に屈曲され、他端１１ｂが一端１１ａと逆方向に略９０度に屈曲形成されている。本形態において、載置部２は他端側１１ｂに平坦面として形成されている。載置部２の端部となる本体１１の先端１１ｃは、載置部２の載置面２ａから上方に向かって突出するように屈曲されていて、載置面２ａの乗せられる設置物２０が先端１１ｃ側からずれ落ちないように形成されている。本体１１の一端１１ａは、平坦面として形成されていて、塀２１の幅方向ｄに伸びる長孔１３が形成されている。
本形態において、載置面２ａ（表面）と反対側の面（以下「裏面」と記す）１１ｄが塀２１に当接し得る部分となる。裏面１１ｄには、発泡樹脂やゴム製の弾性材４（Ａ）が設けられている。弾性材４（Ａ）は、図２に２点鎖線で示すように、帯状で一定の長さに加工された既製品のクッションテープであり、当該既製で帯状の弾性材４（Ａ）を本体１１に沿わせるように変形させて図示しない両面テープによって裏面１１ｄに貼り付けられている。
【００１１】
支持部１２は、への字形状に屈曲形成されていて、短片となる平坦状の一端１２ａと、傾斜面となる他端１２ｂとを有している。支持部１２は、一端１２ａを本体１１の他端１１ｂに下方から接合した際に、一端１１ａと他端１１ｂの間に位置する本体中央部１１ｃと対向する部位となる他端１２ｂが、本体１１から離れる方向に傾斜した傾斜面となる向きに、本体１１に装着される。支持部１２の一端１２ａには、図３に示すように、ボルト１５を挿通するための取付孔１４が形成されている。本形態において、本体１１と支持部１２とは、一端１１ａ、１２ａをボルト１５とナット１６で締結することで一体化される。
すなわち、本体１１と支持部１２とは、図２に示すように、支持部１２の一端１２ａの取付孔１４から、本体１１の一端１１ａの長孔１３にボルト１５を挿入し、本体１１側から平ワッシャ１７とスプリングワッシャ１８とをボトル１５に挿入しナット１６をボルト１５に締め込むことで一体化されて物掛けフック１を成す。
【００１２】
本形態において、掛止部３は、図１に示すように、本体１１と支持部１２とが一体化されることで、本体１１と傾斜面となる支持部１２の他端１２ｂで形成される角度θが鋭角になるように屈曲され、かつ、堀２１に向かって末広がりに形成されるとともに、塀２１の幅方向ｄに伸びる長孔１３にボトル１５を挿通するため、塀２１の幅Ｄに応じて掛止幅Ｌを変更可能とされている。
【００１３】
支持部１２は、本体１１の裏面１１ｄと対向する裏面１２ｃが塀２１に当接し得る部分となる。裏面１２ｃには、発泡樹脂やゴム製の弾性材４（Ｂ）、４（Ｃ）が設けられている。弾性材４（Ｂ）、４（Ｃ）は、弾性材４（Ａ）同様の既製品であり、一端１２ａと他端１２ｂとの裏面１２ｃにそれぞれ貼り付けられるように分割されていて、図示しない両面テープによって裏面１２ｃに貼り付けられている。このため、一端１２ａに設けられるボトル１５は裏面１２ｃに貼り付けられる弾性材４（Ｂ）によって下方から保持されるため、取付孔１４から抜け落ちることが無い。
物掛けフック１は、図４に示すように、支持部１２の一端１２ａに設けられた弾性材４（Ｂ）の下面から載置部２の裏面１１ｄに設けられた弾性材４（Ａ）の下面までの寸法ｈ１が、堀２１の上部２１ａから設置面２２までの高さｈよりも短くなるように構成されている。このため、物掛けフック１を堀２１の上部２１ａに引っ掛けたときに、図４、図７に示すように、設置面２２と載置部２の間に空間２５が形成されるように構成されている。
【００１４】
このように本形態に係る物掛けフック１は、鋭角に屈曲された形状に形成された掛止部３を備えているので、従来のように調整機構を使わなくても様々な厚みの塀２１に対応可能で使用感に優れ、設置作業が容易となる。すなわち、図４に一点鎖線で示す堀２１の幅Ｄ１が薄いには、掛止部３の深い部分で堀２１に掛止され、図４に二点鎖線で示す堀２１の幅Ｄ２が厚いには、掛止部３の浅い部分で堀２１に掛止されることになる。
【００１５】
掛止部３が鋭角に屈曲された形状に形成されていると、図５に示すように複数個の物掛けフック１を積み重ねることができる。このため、持ち運びが容易になる他、コンパクトに収納／保管／配送することができる。本形態では、２本の物掛けフック１を積み重ねた形態を例示したが、積み重ねる個数は、２本に限定されるものではなく、作業者が持てる本数からクレーンなどで吊るせる本数まで積み重ねることができる。
本形態に係る物掛けフック１は、塀２１に当接し得る部分となる裏面１１ｄ、裏面１２ｃにそれぞれ弾性材４（Ａ）〜４（Ｃ）を設けているので、塀２１及び裏面１１ｄ、裏面１２ｃを衝撃や傷から保護することができる。
また、ボルト１５とナット１６で締結されて固定状態にある掛止部３で許容できない堀２１の幅Ｄの場合には、ボルト１５とナット１６の締結状態を緩めて、掛止部３の掛止幅Ｌを調整することができるため、より広い堀２１の幅Ｄに対応することができる。
【００１６】
このような物掛けフック１の使用形態について図６、図７を用いて説明する。
図６は、例えばマンションのバルコニーでの使用形態を示す。本形態において、設置物とは、塀２１が形成されたマンションの設置面２２に設置された電気設備機器としてのエアコンの室外機２０である。
通常、エアコンの室外機２０はバルコニーの設置面２２に載置されている。そして設置面２２に塗装あるいは防水処理などの作業を行う場合、エアコンの室外機２０を別な場所に移動していた。塗装や防水処理は、マンションの世帯単位ではなく、棟単位で行われるので、設置面２２も世帯数分あるため、施工箇所が多く、エアコンの室外機２０を別な場所に移動することは大変な手間であった。
しかし、本形態にかかる物掛けフック１を例えば２本、互い間隔を空けて塀２１の上部２１ａに覆いかぶせて塀２１に掛止することで、設置面２２に載置されているエアコンの室外機２０を、各物掛けフック１の載置面２に乗せることで、設置面２２から浮かした状態にできる。このためエアコンの室外機２０を別な場所に移動する必要が無く、作業効率が向上する。また、設置面２２が高所の場合、足場などを建物の外部に設置し、当該足場を使って作業機器を作業員が持って移動する。このため、本形態の物掛けフック１のように複数本を積み重ねられると、搬送性が向上するので、作業効率の向上につながる。
【００１７】
図６の使用形態では、２本の物掛けフック１の載置部２に跨るように、エアコンの室外機２０を載置部２に直接載置しているが、例えば図７に示すように、２本の物掛けフック１の載置部２に跨るように板材３０を設置し、当該板材３０の上に設置物を載置するようにしてもよい。板材３０としては、足場を組み立てるときに使用する足場板を使用することで、特別に用意する必要がなくなる。
【００１８】
上記形態では、物掛けフック１における、塀２１に当接し得る部分（裏面１１ｄ、裏面１２ｃ）にそれぞれ弾性材４（Ａ）〜４（Ｃ）を設置したが、図８に示すように、本体１１における設置物２０に当接し得る部分となる表面２ａ側に弾性材５を設けることで、設置物２０及び表面２ａを衝撃や傷から保護することができるようになる。
上記形態において、物掛けフック１は、本体１１と支持部１２とに分割する構成としたが、これは、型等を用いることなく既存のフラットバーを折り曲げ成型することを前提にしたためである。しかし、本考案に係る物掛けフックは分割構造に限定されるものではない。例えば大量生産を前提にする場合、鋳型を製作して、アルミニウムなどの金属を流し込んで本体１１と支持部１２とを一体化した構成としたものであっても良い。
上記形態において、設置物は重量のある電気設備機器を例示したが、載置部２に載せるものは、電気設備機器に限定されるものではなく、これよりも軽いもの、例えば施工工具などの置き場として用いることもできる。
【符号の説明】
【００１９】
１        物掛けフック
２        載置部
１１ｄ、１２ｃ  塀に当接し得る部分
３        掛止部
４（Ａ）〜４（Ｃ）  弾性材
１１      本体
１２      支持部
２０      設置物
２１      堀
Ｄ        堀の幅
Ｌ        掛止幅
【図１】
0003184692.tif 000003
【図２】
0003184692.tif 000004
【図３】
0003184692.tif 000005
【図４】
0003184692.tif 000006
【図５】
0003184692.tif 000007
【図６】
0003184692.tif 000008
【図７】
0003184692.tif 000009
【図８】
0003184692.tif 000010